(57)【要約】【課題】  簡易な構成で、且つ長時間に亘って使用可能な姿勢矯正具を提供する。【解決手段】    姿勢矯正具における身体に巻きつけられて環状となり得る帯部材が、身体の背を支持する背支持部、左脇を支持する左脇支持部、左肩を支持する左肩支持部、後頚を支持する後頚支持部、右肩を支持する左肩支持部、右脇を支持する左脇支持部、をこの順に備えるようにした。【選択図】図１
0003110002.tif 000002
【実用新案登録請求の範囲】
【請求項１】
身体に巻きつけられて環状となり得る帯部材により、該身体の姿勢を矯正可能とする姿勢矯正具であって、
身体に巻きつけられた環状の前記帯部材が、
身体の背を支持する背支持部、該身体の左脇を支持する左脇支持部、該身体の左肩を支持する左肩支持部、該身体の後頚を支持する後頚支持部、該身体の右肩を支持する左肩支持部、該身体の右脇を支持する左脇支持部、をこの順に備えるようにした
ことを特徴とする姿勢矯正具。
【請求項２】
前記帯部材の両端に、環状時の長さを調整可能に連結する連結手段を有することを特徴とする請求項１に記載の姿勢矯正具。
【請求項３】
前記連結手段が、ベルクロファスナーを備えていることを特徴とする請求項２に記載の姿勢矯正具。
【請求項４】
身体装着時において、前記連結手段が前記後頚支持部に位置するようにしたことを特徴とする請求項２又は３に記載の姿勢矯正具。
【請求項５】
身体装着時において、前記連結手段が身体前面に位置するようにしたことを特徴とする請求項２乃至４のいずれか１項に記載の姿勢矯正具。
【請求項６】
前記帯部材が、自身の表裏を識別可能とする識別子を有することを特徴とする請求項１乃至５のいずれか１項に記載の姿勢矯正具。
【請求項７】
前記識別子が、前記帯部材の両端近傍にそれぞれ配置されていることを特徴とする請求項６に記載の姿勢矯正具。
【請求項８】
前記識別子が、触覚により識別可能となっていることを特徴とする請求項６又は７に記載の姿勢矯正具。
【請求項９】
前記背を支持する背支持部が、前記左脇及び右脇支持部、前記左肩及び右肩支持部、並びに前記後頚支持部より厚肉に形成されていることを特徴とする請求項１乃至８のいずれか１項に記載の姿勢矯正具。
【請求項１０】
前記背支持部が、前記左脇及び右脇支持部、前記左肩及び右肩支持部並びに前記後頚支持部より幅広に形成されていることを特徴とする請求項１乃至９のいずれか１項に記載の姿勢矯正具。
【請求項１１】
前記左脇及び右脇支持部が、前記背支持部、前記左肩及び右肩支持部並びに前記後頚支持部よりも幅狭に形成されていることを特徴とする請求項１乃至１０のいずれか１項に記載の姿勢矯正具。
【請求項１２】
前記背支持部における前記背に当接する側に、ツボ押さえ用突起が形成されていることを特徴とする請求項１乃至１１のいずれか１項に記載の姿勢矯正具。
【請求項１３】
前記帯部材に、香りを発する香材を挿入可能なポケットが配置されていることを特徴とする請求項１乃至１２のいずれか１項に記載の姿勢矯正具。
【請求項１４】
一部又は全部が伸縮性を有することを特徴とする請求項１乃至１３のいずれか１項に記載の姿勢矯正具。
【請求項１５】
一部又は全部が、布、ゴム、合成樹脂、金属又は皮革からなることを特徴とする請求項１乃至１４のいずれか１項に記載の姿勢矯正具。
【考案の詳細な説明】
【技術分野】
【０００１】
本考案は、身体に装着されて姿勢を矯正可能な姿勢矯正具に関するものである。
【背景技術】
【０００２】
従来、背筋等の姿勢を矯正する姿勢矯正具は、背筋側を保持する部分と、両肩をサポートする部分と、これらをウエスト近傍で固定する部分から構成されるものが多い。このような姿勢矯正具を用いると、背筋が伸び、両肩が背中側（後方側）に引っ張られて胸をはった姿勢になるので、猫背のように背中が丸まった人でも、次第に正しい姿勢を維持できるようになる。
【考案の開示】
【考案が解決しようとする課題】
【０００３】
しかしながら、従来の姿勢矯正具はボディースーツ的な構造であるため、ウエストを含めた上半身全体の窮屈感が原因で、長時間の利用に耐えることができないという問題があった。また、背中全面及びウエスト等を覆う構造であるため、夏場等の高温環境では身体に熱がこもり、体温調節の観点から、長時間に亘って利用できないという問題があった。
【０００４】
また、従来の姿勢矯正具は、身体装着時のデザイン性に劣っているため、外部に露出すると目立ってしまうという問題があった。従って、日常生活で利用する場合には、汗を吸い取る下着、姿勢矯正具、姿勢矯正具を隠すための上着という３重の衣類の着用が少なくとも強制されるので、気軽に利用することが出来ず、姿勢矯正具が一般的に普及しにくい要因になっていた。
【０００５】
更に、この種の姿勢矯正具は、折りたたんでもコンパクトにならないので、持ち運びが面倒であった。例えば、通勤時は鞄の中に入れており、オフィスの作業時だけ装着したいような要求に応えることができないという問題があった。
【０００６】
本考案は上記の問題点を解決するために為されたものであり、極めて簡易な構成で、デザイン性にも優れ、なおかつ確実に姿勢矯正効果を得ることができる姿勢矯正具を得ることを目的とする。
【課題を解決するための手段】
【０００７】
この目的を達成するために以下の構成とした。
【０００８】
（１）身体に巻きつけられて環状となり得る帯部材により、該身体の姿勢を矯正可能とする姿勢矯正具であって、身体に巻きつけられた環状の前記帯部材が、身体の背を支持する背支持部、該身体の左脇を支持する左脇支持部、該身体の左肩を支持する左肩支持部、該身体の後頚を支持する後頚支持部、該身体の右肩を支持する左肩支持部、該身体の右脇を支持する左脇支持部、をこの順に備えるようにしたことを特徴とする姿勢矯正具。
【０００９】
（２）前記帯部材の両端に、環状時の長さを調整可能に連結する連結手段を有することを特徴とする上記（１）に記載の姿勢矯正具。
【００１０】
（３）前記連結手段が、ベルクロファスナーを備えていることを特徴とする上記（２）に記載の姿勢矯正具。
【００１１】
（４）身体装着時において、前記連結手段が前記後頚支持部に位置するようにしたことを特徴とする上記（２）又は（３）に記載の姿勢矯正具。
【００１２】
（５）身体装着時において、前記連結手段が身体前面に位置するようにしたことを特徴とする上記（２）乃至（４）のいずれかに記載の姿勢矯正具。
【００１３】
（６）前記帯部材が、自身の表裏を識別可能とする識別子を有することを特徴とする上記（１）乃至（５）のいずれかに記載の姿勢矯正具。
【００１４】
（７）前記識別子が、前記帯部材の両端近傍にそれぞれ配置されていることを特徴とする上記（６）に記載の姿勢矯正具。
【００１５】
（８）前記識別子が、触覚により識別可能となっていることを特徴とする上記（６）又は（７）に記載の姿勢矯正具。
【００１６】
（９）前記背を支持する背支持部が、前記左脇及び右脇支持部、前記左肩及び右肩支持部、並びに前記後頚支持部より厚肉に形成されていることを特徴とする上記（１）乃至（８）のいずれかに記載の姿勢矯正具。
【００１７】
（１０）前記背支持部が、前記左脇及び右脇支持部、前記左肩及び右肩支持部並びに前記後頚支持部より幅広に形成されていることを特徴とする上記（１）乃至（９）のいずれかに記載の姿勢矯正具。
【００１８】
（１１）前記左脇及び右脇支持部が、前記背支持部、前記左肩及び右肩支持部並びに前記後頚支持部よりも幅狭に形成されていることを特徴とする上記（１）乃至（１０）のいずれかに記載の姿勢矯正具。
【００１９】
（１２）前記背支持部における前記背に当接する側に、ツボ押さえ用突起が形成されていることを特徴とする上記（１）乃至（１１）のいずれかに記載の姿勢矯正具。
【００２０】
（１３）前記帯部材に、香りを発する香材を挿入可能なポケットが配置されていることを特徴とする上記（１）乃至（１２）のいずれかに記載の姿勢矯正具。
【００２１】
（１４）一部又は全部が伸縮性を有することを特徴とする上記（１）乃至（１３）のいずれかに記載の姿勢矯正具。
【００２２】
（１５）一部又は全部が、布、ゴム、合成樹脂、金属又は皮革からなることを特徴とする上記（１）乃至（１４）のいずれかに記載の姿勢矯正具。
【考案の効果】
【００２３】
本考案の姿勢矯正具によれば、帯部材を特殊な状態で体に巻きつけて姿勢を矯正する構造であるので、窮屈感が軽減され、長時間に亘って装着することが出来る。また、シンプルな構造であるため、持ち運びも極めて便利であると共に、衣服の上側に装着しても、違和感無く生活することが出来る。
【考案を実施するための最良の形態】
【００２４】
本考案の実施形態に係る姿勢矯正具について、図面を参照して説明する。
【００２５】
図１には、本実施形態の姿勢矯正具１の全体構成が示されている。姿勢矯正具１は、帯部材５を備えて構成されている。この帯部材５は、背支持部１１、左脇支持部１２Ａ、右脇支持部１２Ｂ、左肩支持部１３Ａ、右肩支持部１３Ｂ、後頚支持部１４を有している。背支持部１１は身体の背を支持し、左脇及び右脇支持部１２Ａ、１２Ｂはそれぞれ身体の左脇と右脇を支持し、左肩及び右肩支持部１３Ａ、１３Ｂはそれぞれ身体の左肩と右肩を支持し、後頚支持部１４は身体の後頚を支持するようになっている。具体的に各部は、帯部材５の一端から、後頚支持部１４の左半分、左肩支持部１３Ａ、左脇支持部１２Ａ、背支持部１１、右脇支持部１２Ｂ、右肩支持部１３Ｂ、後頚支持部１４の右半分の順に配置されている。また、帯部材５の両端には、任意長で両端を連結するための連結手段２０Ａ、２０Ｂが設けられている。従って、帯部材５の長手方向の略中心に背支持部１１が配置され、また、帯部材５の両端を連結する連結手段２０Ａ、２０Ｂは、後頚支持部１４と重複した位置に設けられることになる。連結手段２０Ａ、２０Ｂによって帯部材５を連結すると、両端に位置する後頚支持部１４が一体化される。
【００２６】
図２に示されるように、連結手段２０Ａ、２０Ｂにはベルクロファスナーが用いられている。ベルクロファスナーの雄側となる連結手段２０Ａは、帯部材５の一方の端部であって、身体に当接する側の面（内側面）に設置されている。また、ベルクロファスナーの雌側となる連結手段２０Ｂは、帯部材５の他方の端部であって、身体とは当接しない側の面（外側面）に設置されている。雌側の連結手段２０Ｂは、帯部材５の長手方向に所定の長さを備えており、この長さ分だけ、帯部材５が環状に連結された時の環状長さを任意に調節できるようになっている。なお、このベルクロファスナーの雌雄に関しては、自由に設定することができ、また、本姿勢矯正具１のように、長さ調整範囲内の全領域に連結手段２０Ｂを設置するのではなく、複数のベルクロファスナーを段階的に設けることで、一定の間隔で長さを調整できるようにしてもよい。また、雌雄双方のベルクロファスナーを長くすれば、連結面積の増加によって、連結力を増大させることができ、使用中にベルクロファスナーが外れることを防止できる。
【００２７】
身体の背を支持する背支持部１１は、左脇及び右脇支持部１２Ａ、１２Ｂ、左肩及び右肩支持部１３Ａ、１３Ｂ、並びに後頚支持部１４よりも厚肉に形成されている。これは、身体背支持部１１によって背筋を伸ばすという姿勢矯正効果の増大とともに、クッション性を増すことによって一層快適な使用感を得るためである。
【００２８】
更に帯部材５の両端には、それぞれ、視覚又は触覚により確認可能な識別子３０を備えている。この識別子３０は、帯部材５における身体に当接する側の面（当接面）と、その反対側の面（非当接面）とを識別するためのものである。ここでは、帯部材５の非当接面に識別子３０が設置されている。姿勢矯正具１を装着する際に、この識別子３０を確認しながら装着することで、帯部材５がねじれるのを防止できる。具体的に本実施形態では、識別子３０として、有色布が刺繍されて視覚的に表裏を識別可能な色表示３０Ａと、ビーズ等の立体的な部材によって手の感触で表裏を識別可能な立体表示３０Ｂの双方を備えている。従って、視力が弱い人でも触覚によって判断することを可能にしている。なお、ここでは有色布を別途刺繍する場合を示したが、例えば帯部材５自体を着色してもよく、例えば、表と裏で異なる色の布を用いてもよい。また、触覚によって識別させる方法として、点字となるような突起を形成してもよい。特に、本実施形態のように後頚支持部１４において帯部材５の両端を連結する構造の場合は、視界の範囲外で連結する必要があるため、手の触覚によって識別可能な識別子を設置しておくことが望ましい。なお、視覚や触覚によって識別させる以外にも、臭覚によって識別可能にしてもよい。
【００２９】
帯部材５における背支持部１１の外側面には、天使の羽の形状をした収納ポケット４０が設置されている。この収納ポケット４０の開口部４０Ａから、揮発性を有する芳香液を塗布した布・スポンジ・脱脂綿等の芳香材４０Ｂを挿入しておくことで、姿勢矯正具１に、アロマテラピー効果を付与することができる。なお、この収納ポケット４０は、帯部材５の他の部位に設置してもよく、又帯部材５の素材自体に直接ポケットを形成するようにしても良い。例えば、身体の前面にポケットを設置することで、携帯電話等を収納することも可能になる。
【００３０】
なお、この帯部材５の素材としては、タオル地の布を用いており、肌触りを向上させている。全体的な帯部材５の肉厚は、２ｍｍ〜３ｃｍ程度が望ましく、又背支持部１１等のように肉厚にする領域は、５ｍｍ〜５ｃｍ程度の範囲内が望ましい。帯部材５の幅は、３ｃｍ〜１５ｃｍ程度が望ましく、特に好ましくは、５ｃｍ〜１０ｃｍ程度に設定する。幅が狭すぎると身体にかかる圧力が集中して身体にくい込んでしまい、不快感が発生することがある。一方、広すぎると、背にかかる圧力が広範囲に分散してしまい姿勢矯正効果が低減してしまうことになる。但し、部分的な領域で幅狭、幅広に設定する場合には、これらの範囲を超えるようにしても構わない。
【００３１】
帯部材５の長さは、身体に巻き付けることのできる程度に設定する。様々な体格の身体に対して適合させるには、全体を長めに設定しておき、連結手段２０の長手方向の調整範囲を大きく確保する。
【００３２】
次に、図３を参照して本実施形態による姿勢矯正具１の使用態様を説明する。図３（ａ）は姿勢矯正具１を利用者が装着した状態の正面図、（ｂ）は背面図、（ｃ）は側面図となっている。利用者は、この姿勢矯正具１を身体に巻きつけるようにして装着するが、先ずは、背に背支持部１１が当接するようにしながら、左脇支持部１２Ａを左脇下に通し、右脇下支持部１２Ｂを右脇下に通して、身体前面で帯部材５の両端を両手で保持する。この段階で、識別子３０によって帯部材５の裏表が正しいか否か、そして帯部材５が捩れていないか等を確認する。次に、その両手を自らの後頭部側に持っていくことで、左肩支持部１３Ａが左肩の前面〜上面を通るようにし、同様に右肩支持部１３Ｂが右肩の前面〜上面を通るようにする。最終的に、帯部材５の両端に位置する後頚支持部１４を後頚まで持ち上げ、識別子３０を手の感触で確かめながら、ベルクロファスナーが設置されている状態を頭の中でイメージして、帯部材５の両端を連結する。この際、自分の好みの締め具合を確かめながら最適な長さで連結する。姿勢矯正具１は身体に巻き付けられて環状となり、背が姿勢矯正具１により押し伸ばされ、また、両肩が身体の背面側に引っ張られることで、自然と胸を張ったような姿勢になる。また、上半身が吊り上げられているような感触を得ることが出来る。全体の血行がよくなり、下半身のダイエット効果も期待できる。
【００３３】
本実施形態に係る姿勢矯正具１によれば、帯部材５を用いた簡易な構造によって効率的に姿勢を矯正することが可能になる。また、装着時の窮屈感が低減されることから、長時間に亘って使用することができ、夏場でも快適に利用することができる。また、長さを調整可能な連結手段２０Ａ、２０Ｂが設けられているので、利用者の体格に合わせて、簡単且つ確実に装着することが出来る。身体に対する締め付け具合を任意に変更できるので、利用者の姿勢矯正目的に柔軟に対応できるようになっている。特に、連結手段２０がベルクロファスナーによって構成されているので微調整が可能となっている。
【００３４】
更に、装着時において、識別子３０を利用することで、帯部材５のねじれを防止し、常に正しい態様で装着することができるようになる。視界が及ばない後頚支持部１４において帯部材５を連結する場合であっても、立体表示３０Ｂを用いることで、手の感触でベルクロファスナーの位置を把握できるので、スピーディーに装着することが出来る。
【００３５】
また、帯部材５の背支持部１１が肉厚に形成されているので、身体の背に対するサポート感、フィット感を向上させることが出来、姿勢矯正効果を高めることが可能になる。更に、デザイン性に優れた収納ポケット４０によって、アロマテラピー効果を創出することができる。
【００３６】
次に、他の実施の形態の例について説明する。
【００３７】
図４に示される姿勢矯正具１は、その一部、例えば左脇及び右脇支持部１２Ａ、１２Ｂにおいて、伸縮性の高い素材を用いたものである。特に、脇下に伸縮性を持たせると装着が容易になり、またこの伸縮素材の収縮力によって、締め付け効果を調整することが可能になる。例えば、伸縮性の高い素材として、ゴム状の素材、伸縮性を有するように繊維を編みこんだ素材等を用いることが可能である。なお、ここでは左脇及び右脇支持部１２Ａ、１２Ｂにおいて他の素材を用いる場合を示したが、本発明はそれに限定されず、他の領域において伸縮性素材を用いてもよい。勿論、帯部材５の全体を同様な素材にしてもよい。
【００３８】
図５に示される姿勢矯正具１は、帯部材５における左脇及び右脇支持部１２Ａ、１２Ｂが幅方向に細く絞られており、他の部位よりも幅狭に構成されている。これにより、姿勢矯正具１の両脇下の通過がスムーズになり、かさばることもないので両脇下にかかる負担を軽減させることができる。又さらに、帯部材５の背支持部１１は、その幅が左脇及び右脇支持部１２Ａ、１２Ｂ、左肩及び右肩支持部１３Ａ、１３Ｂ、並びに後頚支持部１４よりも幅広になるように形成されている。結果として、背支持部１１のホールド感を向上させることが出来る。
【００３９】
図６に示される姿勢矯正具１は、背支持部１１が帯部材５の中心からずれた場所に配置されており、全体視すると、左右非対称な形となっている。具体的には、帯部材５の一方の端部から、左肩支持部１３Ａの一部、左脇支持部１２Ａ、背支持部１１、右脇支持部１２Ｂ、右肩支持部１３Ｂ、後頚支持部１４、左肩支持部１３Ａの一部、の順に配置されている。この結果、連結手段２０が身体の前面（左肩の前面側）に位置するようになる。これにより身体的理由等で手が後頚にまであがらないために、後頚で連結することができない人でも、他人の手を借りずに自ら容易に装着できる。
【００４０】
図７に示される姿勢矯正具１は、背支持部１１にツボ押さえ用突起４１が設けられている。従って、装着時において、姿勢矯正効果とともにツボ押しによる指圧効果も得られるようになっている。
【００４１】
図８（ａ）（ｂ）に示される姿勢矯正具１は、帯部材５における背支持部１１の外側面に、天使の羽の形状をした装飾羽６０が設置されている。具体的に装飾羽６０は、一組の大羽６０Ａ及び一組の小羽６０Ｂが重なって構成されており、デザイン効果を高めている。従って、子供等であっても、着用すると天使になったような気分になり、遊び過程の中で、姿勢矯正を行うことができる。また本姿勢矯正具１では、肉厚となっている背支持部１１自体に収納ポケット４０が設置されている。この収納ポケット４０の開口部４０Ａは背支持部１１の側面に開口しており、この側面から、揮発性を有する芳香液を塗布した布・スポンジ・脱脂綿等の芳香材を挿入するようになっている。芳香材の香りは、着用者に対してリラックス効果を提供する。なお、このように背支持部１１の肉厚部分を有効活用することで、ポケットのスペースを十分に確保でき、大量の脱脂綿等を挿入しても邪魔にならないように考慮されている。
【００４２】
以上、本考案の実施形態に係る姿勢矯正具１では、素材として布地を用いる場合に限って示したが、本考案はそれに限定されない。例えば、他の素材として、ゴム、合成樹脂、金属又は皮革等を用いるようにしても構わない。また、本実施形態では、連結手段２０Ａ、２０Ｂとしてベルクロファスナーを用いる場合を示したが、他の態様として、姿勢矯正具の両端の一方にボタンを設け、もう一方にこのボタンを係止するためのボタン孔を設けてもよい。長さを調節可能にするには、このボタン孔を長手方向に複数設けてばよい。又更に、連結手段をベルトのバックル、フック、ベルト通し等としてもよく、これらにより長さの調節を行うようにしてもよい。
【産業上の利用可能性】
【００４３】
本考案の姿勢矯正具は、容易に装着可能な構造であって、確実に上半身を吊り上げた姿勢を取ることができる。長時間使用が可能となるので、継続的に使用することで、下半身痩せの効果も期待できるものである。
【図面の簡単な説明】
【００４４】
【図１】本考案の実施の形態に係る姿勢矯正具の（ａ）表面図、（ｂ）裏面図、（ｃ）側面図である。
【図２】図１の考案の斜視図による（ａ）表面図、（ｂ）裏面図である。
【図３】本考案の使用態様図の（ａ）正面図、（ｂ）背面図、（ｃ）側面図である。
【図４】一部を他の素材と他の実施形態の姿勢矯正具を示す表面図である。
【図５】一部の幅狭にした他の実施形態の姿勢矯正具を示す表面図である。
【図６】背支持部の位置を姿勢矯正具の中心部からずらした他の実施形態の姿勢矯正具を示す斜視図である。
【図７】当接面にツボ押さえ用突起を設けた他の実施形態の姿勢矯正具を示す表面図である。
【図８】装飾羽を設けた他の実施形態の姿勢矯正具の（ａ）正面図、（ｂ）斜視図である。
【符号の説明】
【００４５】
１        姿勢矯正具
５        帯部材
１１      背支持部
１２Ａ    左脇支持部
１２Ｂ    右脇支持部
１３Ａ    左肩支持部
１３Ｂ    右肩支持部
１４      後頚支持部
２０Ａ、２０Ｂ  連結手段
３０      識別子
４０      収納ポケット
４１      ツボ押さえ用突起
【図１】
0003110002.tif 000003
【図２】
0003110002.tif 000004
【図３】
0003110002.tif 000005
【図４】
0003110002.tif 000006
【図５】
0003110002.tif 000007
【図６】
0003110002.tif 000008
【図７】
0003110002.tif 000009
【図８】
0003110002.tif 000010